(57)【要約】【課題】消費エネルギーを増大させることなく、商品載置棚に載置された商品を良好に照明することができるショーケースを提供すること。【解決手段】ケース本体１０の内部に画成された収納室１１に上下方向に沿って複数段設けられた商品載置棚３０と、吸込口２２を通じて収納室１１の空気を吸い込み、かつ吹出口２３を通じて収納室１１に空気を吹き出す態様で空気を循環させる空気循環手段２０と、空気循環手段２０により循環される空気を所望の温度に調整する蒸発器２７とを備え、商品載置棚３０に載置された商品を所望の温度状態に保持するようにしたショーケースにおいて、商品載置棚３０の前端部と離隔して設けられることにより、前端部との間に吹出口２３から吹き出された空気が通過するスリットＳを形成するフェンス部材３１を備え、フェンス部材３１は、該当する商品載置棚３０に載置された商品に光を照射する照明手段を備えたものである。【選択図】図１
2011188889.tif 000002
【特許請求の範囲】
【請求項１】
前面に開口が形成されたケース本体と、
前記ケース本体の内部に画成された収納域に上下方向に沿って複数段設けられ、かつ収納対象となる商品を載置する商品載置棚と、
吸込口を通じて前記収納域の空気を吸い込み、かつ吹出口を通じて該収納域に空気を吹き出す態様で、前記収納域の内部と外部との間で空気を循環させる空気循環手段と、
前記空気循環手段により循環される空気を所望の温度に調整する温度調整手段と
を備え、
前記商品載置棚に載置された商品を所望の温度状態に保持するようにしたショーケースにおいて、
前記商品載置棚の前端部と離隔して設けられることにより、該前端部との間に前記吹出口から吹き出された空気が通過するスリットを形成するスリット形成部材を備え、
前記スリット形成部材は、該当する商品載置棚に載置された商品に光を照射する照明手段を備えたことを特徴とするショーケース。
【請求項２】
前記照明手段は、左右方向が長手方向となる長尺板状体である導光板と、該導光板の側面に配設された光源とを備えたことを特徴とする請求項１に記載のショーケース。
【請求項３】
熱伝導性材料から形成され、かつ商品情報が表示されたシートを支持するレール部材が前記導光板の前面に配設されたことを特徴とする請求項２に記載のショーケース。
【請求項４】
前記導光板は、自身の下端が対応する商品載置棚の下端よりも下方に突出する態様で延在することを特徴とする請求項２又は請求項３に記載のショーケース。
【請求項５】
前記導光板の上端面を覆う態様で、光を遮蔽する遮蔽板が配設されたことを特徴とする請求項２〜４のいずれか一つに記載のショーケース。
【請求項６】
前記照明手段は、蛍光灯であることを特徴とする請求項１に記載のショーケース。
【発明の詳細な説明】
【技術分野】
【０００１】
本発明は、ショーケースに関し、より詳細には、収納対象となる商品を所望の温度状態に保持するようにしたショーケースに関するものである。
【背景技術】
【０００２】
従来、収納対象となる商品を所望の温度状態に保持するようにしたショーケースとして、次のようなものが知られている。
【０００３】
前面に開口が形成されたケース本体の内部の収納域に、複数の商品載置棚が上下方向に沿って複数段設けられており、それぞれの商品載置棚に商品が載置されている。また、ケース本体内であって収納域外となる個所には、吸込口を通じて吸い込んだ収納域内の空気の通路が形成してあり、この空気通路には蒸発器が配設されている。該空気通路を通過する空気は、蒸発器で冷却され、その後に収納域の上部に設けられた吹出口より吹き出される。吹出口から吹き出された空気が吸込口に吸い込まれることにより、収納域の前面側に冷気のエアカーテンが形成され、商品載置棚に載置された商品が所望の温度に調整されて保持される。
【０００４】
このようなショーケースにおいては、ケース本体の上部前端にキャノピーを設け、このキャノピーに蛍光灯を設置して、商品載置棚に載置された商品を照明するようにしたものが知られている。
【０００５】
しかしながら、キャノピーに蛍光灯を設置して照明するだけでは、下段の商品載置棚の商品には、上段の商品載置棚及びこれに載置された商品の存在により光が照射されなかった。そこで、各商品載置棚の前端下部に蛍光灯等の照明手段を備えたものが提案されている（例えば、特許文献１参照）。
【先行技術文献】
【特許文献】
【０００６】
【特許文献１】特開平１１−１５３３８１号公報
【発明の概要】
【発明が解決しようとする課題】
【０００７】
ところが、特許文献１に提案されているショーケースでは、各商品載置棚の前端下部に照明手段を設けてあるために、冷気エアカーテンの内方に位置することになり、当該照明手段の熱が収納域に滞留してしまうことになる。この結果、収納域の冷却負荷が増加し、消費エネルギーの増大化を招来していた。
【０００８】
本発明は、上記実情に鑑みて、消費エネルギーを増大させることなく、商品載置棚に載置された商品を良好に照明することができるショーケースを提供することを目的とする。
【課題を解決するための手段】
【０００９】
上記目的を達成するために、本発明の請求項１に係るショーケースは、前面に開口が形成されたケース本体と、前記ケース本体の内部に画成された収納域に上下方向に沿って複数段設けられ、かつ収納対象となる商品を載置する商品載置棚と、吸込口を通じて前記収納域の空気を吸い込み、かつ吹出口を通じて該収納域に空気を吹き出す態様で、前記収納域の内部と外部との間で空気を循環させる空気循環手段と、前記空気循環手段により循環される空気を所望の温度に調整する温度調整手段とを備え、前記商品載置棚に載置された商品を所望の温度状態に保持するようにしたショーケースにおいて、前記商品載置棚の前端部と離隔して設けられることにより、該前端部との間に前記吹出口から吹き出された空気が通過するスリットを形成するスリット形成部材を備え、前記スリット形成部材は、該当する商品載置棚に載置された商品に光を照射する照明手段を備えたことを特徴とする。
【００１０】
また、本発明の請求項２に係るショーケースは、上述した請求項１において、前記照明手段は、左右方向が長手方向となる長尺板状体である導光板と、該導光板の側面に配設された光源とを備えたことを特徴とする。
【００１１】
また、本発明の請求項３に係るショーケースは、上述した請求項２において、熱伝導性材料から形成され、かつ商品情報が表示されたシートを支持するレール部材が前記導光板の前面に配設されたことを特徴とする。
【００１２】
また、本発明の請求項４に係るショーケースは、上述した請求項２又は請求項３において、前記導光板は、自身の下端が対応する商品載置棚の下端よりも下方に突出する態様で延在することを特徴とする。
【００１３】
また、本発明の請求項５に係るショーケースは、上述した請求項２〜４のいずれか一つにおいて、前記導光板の上端面を覆う態様で、光を遮蔽する遮蔽板が配設されたことを特徴とする。
【００１４】
また、本発明の請求項６に係るショーケースは、上述した請求項１において、前記照明手段は、蛍光灯であることを特徴とする。
【発明の効果】
【００１５】
本発明によれば、スリット形成部材が商品載置棚の前端部と離隔して設けられることにより、該前端部との間に吹出口から吹き出された空気が通過するスリットを形成し、このスリット形成部材が該当する商品載置棚に載置された商品に光を照射する照明手段を備えているので、商品載置棚に載置された商品を前方側から照射することができる。しかもスリットを通過する空気により冷気のエアカーテンが形成され、照明手段からの熱がエアカーテンに区切られる収納域内部に滞留してしまう虞れがなく、冷却負荷が増大してしまう虞れがない。従って、商品載置棚に載置された商品を前方側から照射することができ、しかも冷却負荷が増大してしまう虞れがないので、消費エネルギーを増大させることなく、商品載置棚に載置された商品を良好に照明することができるという効果を奏する。
【図面の簡単な説明】
【００１６】
【図１】図１は、本発明の実施の形態１であるショーケースの内部構造を側方から見た場合を模式的に示す断面側面図である。
【図２】図２は、図１に示したフェンス部材を拡大して模式的に示す斜視図である。
【図３】図３は、図１に示した商品載置棚の前端部を拡大して模式的に示す断面側面図である。
【図４】図４は、本発明の実施の形態１であるショーケースの変形例の要部を模式的に示す拡大正面図である。
【図５】図５は、本発明の実施の形態２であるショーケースの内部構造を側方から見た場合を模式的に示す断面側面図である。
【図６】図６は、図５に示した商品載置棚の前方域を拡大して示す斜視図である。
【図７】図７は、図５に示した商品載置棚の前方域を拡大して示す平面図である。
【図８】図８は、図５に示した商品載置棚を拡大して示す側面図である。
【図９】図９は、図５に示した商品載置棚を拡大して示す側面図であり、エアカーテンを示している。
【図１０】図１０は、スリットを通過するエアカーテンを示す斜視図である。
【発明を実施するための形態】
【００１７】
以下に添付図面を参照して、本発明に係るショーケースの好適な実施の形態について詳細に説明する。
【００１８】
＜実施の形態１＞
図１は、本発明の実施の形態１であるショーケースの内部構造を側方から見た場合を模式的に示す断面側面図である。ここで例示するショーケースは、ケース本体１０を備えている。
【００１９】
ケース本体１０は、前面に開口１０ａが形成された略直方状の断熱筐体であり、その内部には収納室（収納域）１１が画成してあるとともに、空気循環手段２０が設けてある。
【００２０】
収納室１１は、上記前面開口１０ａを臨む態様で画成された室であり、複数の商品載置棚３０が上下方向に沿って複数段並べて配設してある。
【００２１】
空気循環手段２０は、空気通路２１と循環ファンＦとを備えて構成してある。空気通路２１は、吸込口２２から吹出口２３に至る空気の通路である。ここに吸込口２２は、収納室１１の内部の空気を吸い込むための開口であり、収納室１１の左右方向に沿って延設してある。この吸込口２２は、収納室１１の下側前方縁部、すなわちケース本体１０の前面開口１０ａ近傍の下部に配設してある。吹出口２３は、収納室１１の内部に空気を吹き出すための開口である。これら吹出口２３は、収納室１１の左右方向に延設してあって、収納室１１の上側前方縁部、すなわちケース本体１０の前面開口１０ａ近傍の上部に前後に並設してある。
【００２２】
このような空気通路２１は、収納室１１外であってその下方にある下方ダクト２４と、収納室１１外であってその背面側にある背面ダクト２５と、収納室１１外であってその上方にある上方ダクト２６とを互いに連通した態様で構成してある。
【００２３】
循環ファンＦは、空気を循環させるものであり、下方ダクト２４の所定部位に配設してある。本実施の形態においては、循環ファンＦは下方ダクト２４の所定部位に配設してあるが、本発明では、循環ファンＦの配設位置は特に限定されるものではなく、後述する循環ファンＦの機能を発揮することができる個所であればどこに配設しても構わない。
【００２４】
このような空気循環手段２０においては、循環ファンＦが駆動することにより吸込口２２を通じて収納室１１の内部にある空気（内部空気）を吸い込み、吸い込んだ空気が空気通路２１を通過する態様で吹出口２３まで送出し、吹出口２３を通じて送出した空気を収納室１１の内部に吹き出すことにより、収納室１１の内部と外部との間で空気を循環させるものである。
【００２５】
上記空気通路２１の背面ダクト２５には蒸発器２７が設けてある。蒸発器２７は、図示せぬ圧縮機、凝縮器及び膨張弁とともに冷媒を循環させる冷媒循環手段（温度調整手段）を構成する。ここに圧縮機は、冷媒を圧縮するものであり、凝縮器は、圧縮機で圧縮された冷媒を凝縮させるものである。膨張弁は、凝縮器で凝縮された冷媒を断熱膨張させて低温低圧の状態にさせるものである
【００２６】
蒸発器２７は、循環ファンＦが駆動することにより背面ダクト２５を下方から上方に向けて通過する空気と、膨張弁で断熱膨張された冷媒とを熱交換させるもの、より詳細には、冷媒を蒸発させることにより背面ダクト２５（空気通路２１）を通過する空気を冷却するものである。この蒸発器２７で蒸発した冷媒は、再び圧縮機に戻り圧縮されることになる。
【００２７】
上記商品載置棚３０は、商品を載置するためのものであり、矩形上の棚板を備えている。これら各商品載置棚３０の前方域には、フェンス部材３１が配設してある。より詳細には、フェンス部材３１は、最下段の商品載置棚３０を除いて、商品載置棚３０の両側部から前方に突出するガイド支持板３２に支持されて配設してある。このようなフェンス部材３１は、商品載置棚３０の前端部と離隔して設けられることにより、該前端部との間に吹出口２３から吹き出された空気が通過するスリットＳを形成するスリット形成部材である。また、最下段の商品載置棚３０の前方域に配設されたフェンス部材３１は、吸込口２２の前方側となる個所においてケース本体１０に支持されている。当該フェンス部材３１も、最下段の商品載置棚３０の前端部と離隔して設けられることにより、該前端部との間に吹出口２３から吹き出された空気が通過するスリットＳを形成するスリット形成部材である。
【００２８】
図２は、図１に示したフェンス部材３１を拡大して模式的に示す斜視図であり、図３は、図１に示した商品載置棚３０の前端部を拡大して模式的に示す断面側面図である。これら図２及び図３に示すように、フェンス部材３１は、導光板３３及び光源３４を備えている。導光板３３は、左右方向が長手方向となる長尺状の板状体である。この導光板３３は、例えばアクリル等の光透過性の樹脂材から形成されたもので、左右長さが商品載置棚３０の左右長さよりも僅かに短いものである。また、導光板３３の下端が、図３に示すように、対応する商品載置棚３０、すなわち自身の後方域にある商品載置棚３０の下端よりも下方に突出する態様で上下方向の長さが決められている。
【００２９】
光源３４は、例えばＬＥＤ等のようなもので、導光板３３の両側部に設けてあり、互いが対向する方向、すなわち導光板３３に向けて光を射出するものである。これにより光源３４より射出された光は、導光板３３を透過し、導光板３３の前方域、後方域、上方域及び下方域に照射されることになる。
【００３０】
上記導光板３３の上面全体には、光を遮蔽するための遮蔽板３５が設けてある。これにより、導光板３３の上面から光が照射されることを抑制することができる。また、導光板３３の前面全体には、プライスレール３６が設けてある。プライスレール３６は、例えば熱伝導性の樹脂材から形成されたもので、商品の値段等の情報が表示されたシートを支持するためのレール部材である。更に、遮蔽板３５の上面には透明な樹脂材から形成された透明板３７が立設してある。
【００３１】
以上のような構成によるショーケースにおいては、循環ファンＦが駆動することにより、吸込口２２を通じて吸い込まれた空気が空気通路２１（下方ダクト２４及び背面ダクト２５）を通過し、その途中で蒸発器２７に冷却される。蒸発器２７で冷却された空気は、空気通路２１の背面ダクト２５及び上方ダクト２６を通過した後、吹出口２３から下方に向けて吹き出される。吹き出された空気は、商品載置棚３０の前方に形成されたスリットＳを通過し、再び吸込口２２に吸い込まれる。これにより、スリットＳを通過する空気（冷気）により、エアカーテンＡＣが形成され、エアカーテンＡＣにより区切られる収納室１１の商品、すなわち商品載置棚３０に載置された商品が所望の温度に冷却される。
【００３２】
そして、フェンス部材３１が導光板３３と光源３４とを有してなるので、光源３４を点灯させることにより、射出された光が導光板３３を透過し、後方域に照射されることにより、キャノピーに蛍光灯等を配設せずに商品載置棚３０に載置された商品を前方側から照射することができる。しかもフェンス部材３１は、商品載置棚３０の前端部との間に吹出口２３から吹き出された空気を通過させるスリットＳを形成しているので、スリットＳを通過する空気により冷気のエアカーテンＡＣが形成され、光源３４からの熱がエアカーテンＡＣに区切られる収納室１１内部に滞留してしまう虞れがなく、冷却負荷が増大してしまう虞れがない。
【００３３】
従って、上記ショーケースによれば、商品載置棚３０に載置された商品を前方側から照射することができ、しかも冷却負荷が増大してしまう虞れがないので、消費エネルギーを増大させることなく、商品載置棚３０に載置された商品を良好に照明することができる。
【００３４】
また、上記ショーケースによれば、上記導光板３３の下端は、対応する商品載置棚３０の下端よりも下方に突出しているので、当該商品載置棚３０の下段となる商品載置棚３０に載置された商品を照射することができる（図３参照）。
【００３５】
更に、上記ショーケースによれば、上記導光板３３の上面には遮蔽板３５が配設してあるので、利用者は導光板３３からの光により眩しいものとならず、商品に対する視認性を十分に確保することができる。
【００３６】
また更に、上記ショーケースによれば、導光板３３の前面に熱伝導性材料からなるプライスレール３６が取り付けてあるので、プライスレール３６を通じて光源３４からの熱を前方域に積極的に排出することができ、冷却負荷の軽減化を図ることができ、省エネルギー化を図ることができる。またプライスレール３６を通じて排出することにより、当該プライスレール３６に結露等が発生することを抑制することができる。
【００３７】
以上、本発明の好適な実施の形態１について説明したが、本発明はこれに限定されるものではなく、種々の変更を行うことができる。
【００３８】
図４は、本発明の実施の形態１であるショーケースの変形例の要部を模式的に示す拡大正面図である。図４に示すように、プライスレール３６は、導光板３３よりも小さく、導光板３３の前面の一部、より詳細には、正面から見た場合に導光板３３の中央域を覆う態様で配設してあっても良い。これによれば、導光板３３の前面においてプライスレール３６に覆われずに露出する部分から光が照射されることになり演出効果の向上を図ることができる。また、プライスレール３６は、熱伝導性材料から形成されるものであれば好ましいが、光を透過するものであっても良い。これにより、シートに示された表示が正面から見た場合に浮き出るような効果を得ることができる。
【００３９】
＜実施の形態２＞
図５は、本発明の実施の形態２であるショーケースの内部構造を側方から見た場合を模式的に示す断面側面図である。尚、上述した実施の形態１と同一の構成を有するものには同一の符号を付して適宜説明する。ここで例示するショーケースは、ケース本体１０を備えている。
【００４０】
ケース本体１０は、前面に開口１０ａが形成された略直方状の断熱筐体であり、その内部には収納室１１（収納域）が画成してあるとともに、空気循環手段２０が設けてある。
【００４１】
収納室１１は、上記前面開口１０ａを臨む態様で画成された室であり、複数の商品載置棚３０が上下方向に沿って複数段並べて配設してある。
【００４２】
空気循環手段２０は、２つの空気通路２１と、循環ファンＦとを備えて構成してある。空気通路２１は、吸込口２２から２つの吹出口２３に至る空気の通路である。ここに吸込口２２は、収納室１１の内部の空気を吸い込むための開口であり、収納室１１の左右方向に沿って延設してある。この吸込口２２は、収納室１１の下側前方縁部、すなわちケース本体１０の前面開口１０ａ近傍の下部に配設してある。吹出口２３は、それぞれ収納室１１の内部に空気を吹き出すための開口である。これら吹出口２３は、収納室１１の左右方向に延設してあって、収納室１１の上側前方縁部、すなわちケース本体１０の前面開口１０ａ近傍の上部に前後に並設してある。
【００４３】
このような空気通路２１は、収納室１１外であってその下方にある下方ダクト２４と、収納室１１外であってその背面側にある背面ダクト２５と、収納室１１外であってその上方にある上方ダクト２６とを互いに連通した態様で構成してある。
【００４４】
循環ファンＦは、空気を循環させるものであり、空気通路を構成する下方ダクト２４の所定部位に配設してある。本実施の形態においては、循環ファンＦは下方ダクト２４の所定部位に配設してあるが、本発明では、循環ファンＦの配設位置は特に限定されるものではなく、後述する循環ファンＦの機能を発揮することができる個所であればどこに配設しても構わない。
【００４５】
このような空気循環手段２０においては、循環ファンＦが駆動することにより吸込口２２を通じて収納室１１の内部にある空気（内部空気）を吸い込み、吸い込んだ空気が空気通路２１を通過する態様で吹出口２３まで送出し、吹出口２３を通じて送出した空気を収納室１１の内部に吹き出すことにより、収納室１１の内部と外部との間で空気を循環させるものである。
【００４６】
上記空気通路２１の一方の背面ダクト２５には蒸発器２７が設けてある。蒸発器２７は、図示せぬ圧縮機、凝縮器及び膨張弁とともに冷媒を循環させる冷媒循環手段（温度調整手段）を構成する。ここに圧縮機は、冷媒を圧縮するものであり、凝縮器は、圧縮機で圧縮された冷媒を凝縮させるものである。膨張弁は、凝縮器で凝縮された冷媒を断熱膨張させて低温低圧の状態にさせるものである。
【００４７】
蒸発器２７は、循環ファンＦが駆動することにより自身が配設された背面ダクト２５を下方から上方に向けて通過する空気と、膨張弁で断熱膨張された冷媒とを熱交換させるもの、より詳細には、冷媒を蒸発させることにより背面ダクト２５（空気通路２１）を通過する空気を冷却するものである。この蒸発器２７で蒸発した冷媒は、再び圧縮機に戻り圧縮されることになる。
【００４８】
上記商品載置棚３０は、商品を載置するためのものであり、矩形上の棚板を備えている。これら各商品載置棚３０の前方域には、図６〜図９に示すように、フェンス部材４０が配設してある。より詳細には、フェンス部材４０は、例えば金属等の光遮蔽性材料から形成されたもので、商品載置棚３０の両側部から前方に突出するガイド支持板３２に支持されて配設してある。このようなフェンス部材４０は、商品載置棚３０の前端部と離隔して設けられることにより、該前端部との間に吹出口２３から吹き出された空気が通過するスリットＳを形成するスリット形成部材である。
【００４９】
このようなフェンス部材４０の後面には、蛍光灯４１が設けてある。より詳細には、フェンス部材４０の後面に設置した取付板４２を介して蛍光灯４１が配設してある。蛍光灯４１は、フェンス部材４０の左右方向が自身の長手方向となる長尺状のもので、その長手方向長さは、フェンス部材４０の左右方向の長さに略等しいものである。この蛍光灯４１の配線は、ガイド支持板３２に沿って設けてある。取付板４２は、蛍光灯４１を取り付けるものであるとともに、蛍光灯４１から上方に向けて射出された光を遮蔽する遮蔽部材としての役割を有している。
【００５０】
以上のような構成によるショーケースにおいては、循環ファンＦが駆動することにより、吸込口２２を通じて吸い込まれた空気が空気通路２１（下方ダクト２４及び背面ダクト２５）を通過し、その途中で蒸発器２７により冷却される。蒸発器２７で冷却された空気は、空気通路２１の背面ダクト２５及び上方ダクト２６を通過した後、吹出口２３から下方に向けて吹き出される。吹き出された空気は、商品載置棚３０の前方に形成されたスリットＳを通過し、再び吸込口２２に吸い込まれる。これにより、スリットＳを通過する空気（冷気）により、図９及び図１０に示すように、エアカーテンＡＣが形成され、エアカーテンＡＣにより区切られる収納室１１の商品、すなわち商品載置棚３０に載置された商品が所望の温度に冷却される。
【００５１】
そして、フェンス部材４０に設けられた蛍光灯４１を点灯させることにより、後方側に射出された光により、商品載置棚３０に載置された商品を前方側から照射することができる。しかもフェンス部材４０は、商品載置棚３０の前端部との間に吹出口２３から吹き出された空気を通過させるスリットＳを形成しているので、スリットＳを通過する空気により冷気のエアカーテンＡＣが形成され、蛍光灯４１からの熱をエアカーテンＡＣに区切られる収納室１１の外部に排出し、収納室１１の内部に滞留してしまう虞れがなく、冷却負荷が増大してしまう虞れがない。
【００５２】
従って、上記ショーケースによれば、商品載置棚３０に載置された商品を前方側から照射することができ、しかも冷却負荷が増大してしまう虞れがないので、消費エネルギーを増大させることなく、商品載置棚３０に載置された商品を良好に照明することができる。
【００５３】
また、上記ショーケースによれば、スリットＳを通過する空気、すなわちエアカーテンＡＣを形成する空気が蛍光灯４１に衝突する結果、蛍光灯４１の冷却が促進され、結果的に、蛍光灯４１の使用寿命を増大させることができる。
【００５４】
更に、上記ショーケースによれば、蛍光灯４１を取り付ける取付板４２が蛍光灯４１から上方に向けて射出された光を遮蔽するので、利用者は蛍光灯４１からの光により眩しいものとならず、商品に対する視認性を十分に確保することができる。
【００５５】
また、フェンス部材４０に設けられた蛍光灯４１を点灯させることにより、商品載置棚３０に載置された商品を良好に照明することができることから、従来のようにキャノピー部に設置されている蛍光灯を不要とすることもできる。
【産業上の利用可能性】
【００５６】
以上のように、本発明に係るショーケースは、ケース本体に設置された蛍光灯の発熱を外部に排出するのに有用であり、かつ商品に対する視認性を十分に確保するのに有用である。
【符号の説明】
【００５７】
１０  ケース本体
１０ａ  前面開口
１１  収納室
２０  空気循環手段
２１  空気通路
２２  吸込口
２３  吹出口
２４  下方ダクト
２５  背面ダクト
２６  上方ダクト
２７  蒸発器
３０  商品載置棚
３１  フェンス部材
３２  ガイド支持板
３３  導光板
３４  光源
３５  遮蔽板
３６  プライスレール
３７  透明板
４０  フェンス部材
４１  蛍光灯
ＡＣ  エアカーテン
Ｆ  循環ファン
Ｓ  スリット
【図１】
2011188889.tif 000003
【図２】
2011188889.tif 000004
【図３】
2011188889.tif 000005
【図４】
2011188889.tif 000006
【図５】
2011188889.tif 000007
【図６】
2011188889.tif 000008
【図７】
2011188889.tif 000009
【図８】
2011188889.tif 000010
【図９】
2011188889.tif 000011
【図１０】
2011188889.tif 000012